(57)【要約】  【課題】  所望のパターンに配置される多数個の植物栽培可能なトレーに対して通常の散水形態を用いて簡易な構成で給水することができる散水システムを提供すること。  【解決手段】  植物体１を載置する凹所２を上面Ａに有し、かつ、凹所周辺に散水ノズル３が備わっている複数のトレー４を設け、隣接するトレー４，４を互いに接続することが可能で、複数のトレー４を所望のパターンＰに配置しうる接続手段６，７を設ける一方、導入流路ｉの水を前記散水ノズル３に連通させる分岐流路ｊを形成する分岐パイプ８を設け、さらに、トレー４が、これら分岐パイプ８を跨ぐことができるようこれら分岐パイプ８が挿通可能な切欠き９をトレー下面Ｃに設けている。【選択図】      図１
2011041543.tif 000002
【特許請求の範囲】
【請求項１】
植物体を載置する凹所を上面に有し、かつ、凹所周辺に散水ノズルが備わっている複数のトレーを設け、
隣接するトレーを互いに接続することが可能で、複数のトレーを所望のパターンに配置しうる接続手段を設ける一方、
導入流路の水を前記散水ノズルに連通させる分岐流路を形成する分岐パイプを設け、
さらに、トレーが、これら分岐パイプを跨ぐことができるようこれら分岐パイプが挿通可能な切欠きをトレー下面に設けたことを特徴とする散水システム。
【請求項２】
植物体を載置する凹所を上面に有し、かつ、凹所周辺に散水ノズルが備わっている複数のトレーを設け、
隣接するトレーを互いに接続することが可能で、複数のトレーを所望のパターンに配置しうる接続手段を設ける一方、
導入流路の水を前記散水ノズルに連通させるため導入流路から分岐する分岐流路を各トレーを貫く形で設けたことを特徴とする散水システム。
【請求項３】
植物体を載置する複数の凹所を上面に有し、かつ、凹所間に散水ノズルが備わっている複数のトレーを設け、
隣接するトレーを互いに接続することが可能で、複数のトレーを所望のパターンに配置しうる接続手段を設ける一方、
導入流路の水を前記散水ノズルに連通させる分岐流路を形成する分岐パイプを設け、
さらに、トレーが、これら分岐パイプを跨ぐことができるようこれら分岐パイプが挿通可能な切欠きをトレー下面に設けるとともに、
凹所間を連通する連通溝をトレー上面に設け、この連通溝に前記散水ノズルの散水流路を連通させるため前記散水ノズルの散水部がトレーの上面よりも埋没して設置されていることを特徴とする散水システム。
【請求項４】
前記凹所は、前記連通溝に連通する周溝を内周面に有するとともに、この周溝にオーバーフロー用の切欠きを設けてある請求項３に記載の散水システム。
【請求項５】
前記導入流路に給水タイマーを設けた請求項１〜４のいずれかに記載の散水システム。
【請求項６】
前記散水ノズルは、可変式散水ノズルである請求項１〜５のいずれかに記載の散水システム。
【発明の詳細な説明】
【技術分野】
【０００１】
この発明は、散水システムに関するものである。
【背景技術】
【０００２】
近年、問題となっているヒートアイランド現象を軽減する一つの対応策として、敷地や屋上に適当な土壌を収容したプランターを複数用意し、そのプランターで植物を栽培する装置が下記特許文献１に提案されている。これは、植木鉢を載置する水溜容器を備えており、そして、敷地や屋上の面積が広ければ広いほど、用意しなければならない植物の数も多くなり、その灌水が手間のかかる作業であり、水管理を専門業者に依頼すればコスト高になるといった課題を解決するため給水管が接続される自動灌水装置を設けている。
【０００３】
また、多数個のプランターを所望の配置パターンで連結してなる室内用の多目的水耕栽培プランターが下記特許文献２に提案されている。これは、上面を植栽用の開口部となし、側面部に連通孔を設けた複数の箱体を、前記連通孔同士を突き合わせて水密的に接続してなるものである。
【０００４】
また、下記特許文献３に示すように、内部に水を入れる箱形のプランターを設け、これらプランターを各プランターに設けたオーバーフロー孔に繋がれるホースを介して接続したものが提案されている。
【０００５】
一方、これら水耕栽培とは異なる給水パターンを用いた養液の供給装置が下記特許文献４に提案されている。これは、上面を植栽用の開口部とする長い箱体内に網状シートを設け、その網状シート内を培地となし、養液を前記網状シートの下方から吹付ける給液管と養液を培地の上面に向かって灌注させる給液管の二系統を設け、この両者の養液供給を必要に応じて切換可能に構成してなるものである。
【先行技術文献】
【特許文献】
【０００６】
【特許文献１】特開平１０−１１３０８１号公報
【特許文献２】実開昭６２−１８１１５１号公報
【特許文献３】特開２００１−６１３５８１号公報
【特許文献４】実開昭４９−１２８７２５号公報
【発明の概要】
【発明が解決しようとする課題】
【０００７】
しかし、前記特許文献１〜３のいずれも水耕栽培に適用することが可能なプランターであることから、通常の散水形態に比べて多くの水を消費するおそれがある。
また、前記特許文献４では、通常の散水形態を採用しているけれども、多数個の箱体を所望の配置パターンで連結するには、適用できる灌水機構が複雑すぎるとともに、コスト高になるおそれがある。
【０００８】
この発明は、上述の事柄に留意してなされたもので、その目的は、所望のパターンに配置される多数個の植物栽培可能なトレーに対して通常の散水形態を用いて簡易な構成で給水することができる散水システムを提供することである。
【課題を解決するための手段】
【０００９】
上記目的を達成するために、この発明の散水システムは、
植物体を載置する凹所を上面に有し、かつ、凹所周辺に散水ノズルが備わっている複数のトレーを設け、
隣接するトレーを互いに接続することが可能で、複数のトレーを所望のパターンに配置しうる接続手段を設ける一方、
導入流路の水を前記散水ノズルに連通させる分岐流路を形成する分岐パイプを設け、
さらに、トレーが、これら分岐パイプを跨ぐことができるようこれら分岐パイプが挿通可能な切欠きをトレー下面に設けたことを特徴としている（請求項１）。
【００１０】
また、この発明は別の観点から、
植物体を載置する凹所を上面に有し、かつ、凹所周辺に散水ノズルが備わっている複数のトレーを設け、
隣接するトレーを互いに接続することが可能で、複数のトレーを所望のパターンに配置しうる接続手段を設ける一方、
導入流路の水を前記散水ノズルに連通させるため導入流路から分岐する分岐流路を各トレーを貫く形で設けたことを特徴とする散水システム。
を提供する（請求項２）。
【００１１】
また、この発明はさらに別の観点から、
植物体を載置する複数の凹所を上面に有し、かつ、凹所間に散水ノズルが備わっている複数のトレーを設け、
隣接するトレーを互いに接続することが可能で、複数のトレーを所望のパターンに配置しうる接続手段を設ける一方、
導入流路の水を前記散水ノズルに連通させる分岐流路を形成する分岐パイプを設け、
さらに、トレーが、これら分岐パイプを跨ぐことができるようこれら分岐パイプが挿通可能な切欠きをトレー下面に設けるとともに、
凹所間を連通する連通溝をトレー上面に設け、この連通溝に前記散水ノズルの散水流路を連通させるため前記散水ノズルの散水部がトレーの上面よりも埋没して設置されていることを特徴とする散水システムを提供する（請求項３）。
この場合、前記凹所は、前記連通溝に連通する周溝を内周面に有するとともに、この周溝にオーバーフロー用の切欠きを設けるのが好ましい（請求項４）。
【００１２】
また、この発明では、前記導入流路に給水タイマーを設けるのが好ましく（請求項５）、また、前記散水ノズルを、可変式散水ノズルとしてもよい（請求項６）。
【発明の効果】
【００１３】
本願の請求項１〜３に係るいずれの発明においても、所望のパターンに配置される多数個のトレーの、植物体を載置する凹所内に、通常の散水形態を用いて簡易な構成で給水を行き渡らせることができる。
【００１４】
また、本願の請求項４に係る発明においては、傾斜面にトレーを設けた場合でも、凹所内の高位置側に設けたオーバーフロー用の切欠きからも水が凹所内に給水されることから、凹所内の低位置側だけではなく、高位置側にも満遍なく水を行き渡らせることができ、凹所内の高位置側に載置された植物体も良好な生育状態を維持することができる。
さらに、本願の請求項５に係る発明においては、導入流路に給水タイマーを設けることにより、時間を決めて水張り（給水）することができるので、節水に寄与することができる。
【図面の簡単な説明】
【００１５】
【図１】この発明の第１の実施形態における散水形態を示す斜視図である。
【図２】上記実施形態における散水形態の構成を説明するための構成説明図である。
【図３】上記実施形態で用いるトレーを示す斜視図である。
【図４】上記実施形態で用いる散水ノズルのトレーに対する取り付け状態を説明するための図である。
【図５】この発明の第２の実施形態における散水形態を示す斜視図である。
【図６】上記第２の実施形態で用いるトレーを示す斜視図である。
【図７】この発明の第３の実施形態で用いるトレーを示す要部斜視図である。
【図８】この発明の第４の実施形態で用いるトレーを示す斜視図およびトレーの要部を示す図である。
【図９】この発明の第５の実施形態で用いるトレーを示す斜視図である。
【図１０】上記第５の実施形態で用いる散水ノズルを示す分解斜視図である。
【図１１】上記第１の実施形態の散水形態の変形例を示す図である。
【図１２】上記変形例で用いる散水ノズルを示す斜視図である。
【発明を実施するための形態】
【００１６】
図１〜４は、この発明の第１の実施形態を示す。
図１〜４において、この実施形態の散水システムＳ1 においては、ポット苗（植物体の一例）１を載置する平面視矩形で左右一対の凹所２，２を上面Ａに有し、かつ、凹所周辺、例えば凹所２，２間に散水ノズル３が備わっている複数の箱状のトレー４が設けられている。また、隣接するトレー４，４を互いに接続することが可能で、複数のトレー４…を所望のパターンＰに配置しうる接続手段５が設けられている。トレー４は、平面視矩形形状（正方形、あるいは長方形）をなし、散水ノズル３は、トレー４の上面Ａの対角線の交点に位置している。前記接続手段５は、例えば、一対の平面視台形形状部分ａ，ａをこれらの上底を共有する形で形成された楔形部材６と、いずれか一方の平面視台形形状部分ａが嵌合可能な嵌合溝７と寄り構成される。この嵌合溝７は、トレー４の上面Ａから四つの側面Ｂを跨ぐ形で適宜の位置に複数個形成されている。
【００１７】
８は、トレー４の数に応じて設けられた分岐パイプである。これは、水栓９から吐出される導入流路ｉの水を前記散水ノズル３に連通させる分岐流路ｊを形成する。１０は、導入流路ｉを形成する導入パイプである。さらに、トレー４が、これら分岐パイプ８を跨ぐことができるようこれら分岐パイプ８が挿通可能な切欠き９を分岐パイプ８の数に応じてトレー下面（底面）Ｃに設けられている。この切欠き９は、例えばトレー４の対向する側面Ｂ1 ，Ｂ1 の下端部を切欠いて形成されている。１１は、導入パイプ１０に設けられた給水タイマーで、最上流側の分岐パイプ８の分岐点Ｄと水栓９間に設けられている。
【００１８】
前記散水ノズル３は、上部材Ｅと下部材Ｆよりなり、両者はねじ接続されている。上部材Ｅは、周面に沿って形成された複数の散水孔１２を有する有底筒状の散水部１３を有している。１４は、雌ねじ孔である。また、１５は、トレー上面Ａに形成された散水ノズル取り付け部であり、リング状の凹所１６が形成されている。下部材Ｆは、正面視Ｌ字形状の筒状体であり、雌ねじ孔１４に螺合する雄ねじ部１７、リング状の凹所１６の下面１６ａに当接可能な外向きフランジ１８、縦筒部１９および分岐パイプ８に挿通連結可能な横筒部２０を上からこの順で有する。そして、外向きフランジ１８の上面１８ａをリング状の凹所１６の下面１６ａに当接させ、雌ねじ孔１４と雄ねじ部１７の螺合により散水部１３のリング状下面１３ａがリング状の凹所１６の上面１６ｂに当たり、リング状の凹所１６が上部材Ｅと下部材Ｆで挟まれることにより散水ノズル３がトレー上面Ａに取り付けられる。この実施形態では、例えば図３に示すように、各トレー４は、凹凸形状のトレー上面Ａを有している。すなわち、各トレー４は、複数（例えば三個）の凸形状部分のトレー上面Ａと複数（例えば二個）の凹形状部分の前記凹所２，２を有しており、かつ、複数の凸形状部分のトレー上面Ａは面一（同じ高さ）になっている。そして、例えば三個の凸形状部分のトレー上面Ａのうち、真ん中のトレー上面Ａに散水ノズル３がそのトレー上面Ａよりも突出して設置されている。
なお、複数の散水孔１２から噴出する散水形態として、噴水状のものを採用する場合には、散水孔１２からの散水が、隣接する凹所２，２に効率よく行き渡るよう前記三個の凸形状部分のトレー上面Ａのうち、散水ノズル３が設置される前記真ん中のトレー上面Ａの高さを、残りの隣接するトレー上面Ａの高さよりも低くするのが好ましい。
【００１９】
図５，６は、この発明の第２の実施形態を示す。なお、図５，６において、図１〜４に示した符号と同一の物は同一または相当物である。
図５，６において、この実施形態の散水システムＳ2 においては、導入流路ｉの水を前記散水ノズル３に連通させるため導入流路ｉから分岐する分岐流路ｍを各パレット４を貫く形で設けるとともに、分岐流路ｍの水を前記散水ノズル３に連通させる連通流路ｎを、トレー４の数に応じて設けている。そして、分岐流路ｍを形成する分岐流路部２１および連通流路ｎを形成する連通流路部２２は、トレー４に一体に形成されている。２３は、隣接するトレー４，４の分岐流路部２１を繋ぐ繋ぎ部材で、隣接するトレー４，４の対向する分岐流路部２１，２１の端部分２１ａ，２１ａ同士を接続する。２４は、分岐流路部２１に接続される分岐流路部である。
【００２０】
図７は、この発明の第３の実施形態を示す。なお、図７において、図１〜６に示した符号と同一の物は同一または相当物である。
図７において、この実施形態の散水システムＳ3 においては、トレー４の上面Ａに形成されている凹所２，２間を連通する連通溝３０をトレー上面Ａに設け、この連通溝３０に前記散水ノズル３の散水流路ｔを連通させるため前記散水ノズル３の散水部１３がトレー上面Ａよりも埋没して設置されている。
【００２１】
図８は、この発明の第４の実施形態を示す。なお、図８において、図１〜７に示した符号と同一の物は同一または相当物である。また、図８では、隣接するトレー４，４を互いに接続することが可能で、複数のトレー４…を所望のパターンＰに配置しうる接続手段５を省略している。
図８において、この実施形態の散水システムＳ4 において、トレー４の上面Ａに形成されている凹所２，２間を連通する連通溝３０をトレー上面Ａに設け、この連通溝３０に前記散水ノズル３の散水流路ｔを連通させるため前記散水ノズル３の散水部１３がトレー上面Ａよりも埋没して設置されている点は、上記第３の実施形態と同様であるが、以下の点が上記第３の実施形態と構成が異なる。
すなわち、この実施形態の散水システムＳ4 においては、ポット苗（植物体の一例）を載置する平面視矩形で左右一対の凹所２，２は、それぞれ前記連通溝３０に連通する周溝４０を内周面ｄに有するとともに、この周溝４０にオーバーフロー用の切欠４１きを周溝４０全周に渡り適宜間隔で設けてある。
【００２２】
図９，１０は、この発明の第５の実施形態を示す。なお、図９，１０において、図１〜８に示した符号と同一の物は同一または相当物である。
図９，１０において、この実施形態の散水システムＳ5 においては、散水ノズルとして、トレー上面Ａよりも突出して設置される前記有底筒状の散水部１３がその軸心まわりに手動操作により回動する可変式散水ノズル５０を用いている。
この可変式散水ノズル５０は、上部材Ｅ’と下部材Ｆ’とリング状の摩擦部材４９より主としてなり、両者Ｅ’，Ｆ’は嵌合により下部材Ｆ’に対して上部材Ｅ’がシール可能に回動するよう連結された状態で、トレー４の上面Ａに形成されている取り付け孔５１に、摩擦部材４９が取り付け孔５１周りの上面部分’と下部材Ｆ’との間に挟まれた状態で取り付けられる。
上部材Ｅ’は、周面に沿って形成された複数の散水孔１２を有する前記有底筒状の散水部１３と、筒状体５２とよりなる。筒状体５２は、上部大径部５３と有底の下部小径部５４よりなり、上部大径部５３は、散水流路ｑを形成する導出孔５５を有するとともに、その周面Ｒに、上部大径部５３の外部から散水流路ｑへ水を導入する導入孔５６を有している。ｇは、Ｏリングであり、上部大径部５３の周面Ｒと、下部小径部５４の周面ｒとに設けられている。
【００２３】
一方、下部材Ｆ’は、内筒体５７と外筒体５８の二重筒状構造をなしており、両者の間には軸方向に沿ってリング状の空間１００が形成されている。そして、内筒体５７の周面５７ａには前記導入孔５６に整合可能な整合孔６０が設けられ、この整合孔６０は前記空間１００に連通している。５７ａは内筒体５７の上流端部で、この上流端部５７ａ内に上部材Ｅ’の前記下部小径部５４がシール可能に位置しながら、前記下部小径部５４の先端部分５５が上流端部５７ａ内から下方に突出し、この先端部分５５にＣリング６１を装着することにより、上部材Ｅ’と下部材Ｆ’は接続される。さらに、外筒体５８の胴部５８ａには、複数本の分岐パイプ８にそれぞれ連通する接続部材６６が突出形成されている。  
【００２４】
以上、この発明では、シンプルで豊富なオプションを備えたパレット４に適用可能な散水システムを提供することができる。また、トレー４を例えば合成樹脂製とすれは、比較的廉価に得られる。また、上述した前記特許文献１〜４に記載されている散水システムに比べて軽量化を実現することができ、例えばこの発明の散水システムを屋根にも適用することが可能となるとともに、分岐パイプ８等を含む散水ユニットを組み込んだモジュール化が可能となることから、これにより、プレ施工が可能となり、工期の短縮に寄与することができる。
【００２５】
上記各実施形態では、トレー４の凹所２にポット苗１を載置するとともに、凹所２，２間に散水ノズル３が備わっている例を示した。
図１１，１２は、上記第１の実施形態の変形例を示す。なお、図１１，１２において、図１〜１０に示した符号と同一の物は同一または相当物である。
図１１，１２において、この変形例は、トレー４の凹所２に土壌、肥料等の植生基盤１０１を収容するとともに、散水ノズル３を植生基盤１０１に突き刺して固定してある。  散水ノズル３は、植生基盤１０１の所定位置に突き刺すことで固定されるよう、縦筒部１９の先端部１９ａが先細り形状となっている。
【符号の説明】
【００２６】
１            植物体
２            凹所
３            散水ノズル
４            トレー
６，７（５）  接続手段
８            分岐パイプ
９            切欠き
１３          散水部
Ｐ            配置パターン
ｉ            導入流路
ｊ            分岐流路
Ａ            トレー上面
Ｃ            トレー下面
【図１】
2011041543.tif 000003
【図２】
2011041543.tif 000004
【図３】
2011041543.tif 000005
【図４】
2011041543.tif 000006
【図５】
2011041543.tif 000007
【図６】
2011041543.tif 000008
【図７】
2011041543.tif 000009
【図８】
2011041543.tif 000010
【図９】
2011041543.tif 000011
【図１０】
2011041543.tif 000012
【図１１】
2011041543.tif 000013
【図１２】
2011041543.tif 000014